(57)【要約】【課題】  白等の明色系の表示板の地色を採用する場合でも、黒等の暗色系の緩衝部材が目立たない表示装置を提供する。【解決手段】  少なくとも２種類の地色部を有する表示板１と、表示板１の視認側で表示板１と離間して配置され地色部を透視可能な透視部２５を有する透視部材２と、表示板１と透視部材２との間に配置される緩衝部材４と、を備え、緩衝部材４は、地色部の一方の地色部１３のみに配置され、一方の地色部１３は緩衝部材４と同系色である。【選択図】  図２
2019045430.tif 000002
【特許請求の範囲】
【請求項１】
少なくとも２種類の地色部を有する表示板と、
前記表示板の視認側で前記表示板と離間して配置され前記地色部を透視可能な透視部を有する透視部材と、
前記表示板と前記透視部材との間に配置される緩衝部材と、を備え、
前記緩衝部材は、前記地色部の一方の地色部のみに配置され、前記一方の地色部は前記緩衝部材と同系色であることを特徴とする表示装置。
【請求項２】
前記一方の地色部は、前記表示板の外周部に位置することを特徴とする請求項１に記載の表示装置。
【請求項３】
前記透視部材は、前記外周部に、前記表示板に向かって下がった段差部を有し、
前記緩衝部材は、前記段差部に対向する位置に配置されることを特徴とする請求項２に記載の表示装置。
【請求項４】
前記緩衝部材と対向する前記透視部材の内側又は外側に、微細処理部が形成されていることを特徴とする請求項１乃至３のいずれかに記載の表示装置。
【請求項５】
前記一方の地色部の艶は、前記緩衝部材の艶と同様の艶を有することを特徴とする請求項１乃至４のいずれかに記載の表示装置。
【請求項６】
前記透視部材の前記緩衝部材の当接する面は、凸状又は凹状の貼り付け位置が形成されていることを特徴とする請求項１乃至５のいずれかに記載の表示装置。
【請求項７】
前記一方の地色部は暗色系であり、他方の地色部は明色系であることを特徴とする請求項１乃至６のいずれかに記載の表示装置。
【発明の詳細な説明】
【技術分野】
【０００１】
本発明は、例えば自動車やオートバイ、農建機、水上バイク、船舶等の各種移動体に搭載される表示装置に関するものである。
【背景技術】
【０００２】
従来、この種の表示装置にあっては、例えば下記特許文献１，２に記載されているものが知られている。特許文献１に記載の表示装置は、ケース体（ホルダー）の背後に組み付けられる硬質からなる回路基板と、回路基板の背後側に組み付け固定される指示計器の一部を構成する指針駆動部（本体）と、指針駆動部に設けられた回動軸（指針軸）の先端側に圧入固定されて回動軸を軸心として回転する指針と、指針の背後側とケース体の前面側の間に位置し、目盛や数字や記号等からなる表示部が施された表示板（文字板）と、表示板の前面開放側を覆う見返しを有する透視可能な透視部材（カバープレート）と、を備え、表示部を指針が指示することで速度計等の計器を構成する表示装置が知られている。
【０００３】
また、下記特許文献２には、液晶表示パネル（表示パネル）と、液晶表示パネルを収容するケース体と、このケース体の開口側に配設された透視部材（第１の透視部材）と、透視部材の液晶表示パネル側に離間されて配設された表示板（第２の透視部材）とを備え、表示板は、液晶表示パネルの可視範囲外に形成される不可視部を有し、表示板の可視範囲外で透視部材と表示板との間に配設される緩衝部材と、を備える表示装置が知られている。
【先行技術文献】
【特許文献】
【０００４】
【特許文献１】特開２００８−１８０６６３号公報
【特許文献２】特開２０１５−０２５７２５号公報
【発明の概要】
【発明が解決しようとする課題】
【０００５】
ところで、特許文献２の表示装置に、特許文献１の指針の構成を適用し、表示板の表示部以外の背景となる地色部を明色系（白色）とした場合、透視部材と表示板との間に配設される緩衝部材は主に暗色系（黒色）であるため、緩衝部材が目立ってしまい商品性を損なうといった問題点があった。また、緩衝部材を明色系（白色）とした場合、高価になるといった問題点があった。
【０００６】
そこで、本発明は、上記問題点に鑑みてなされたものであり、白等の明色系の表示板の地色を採用する場合でも、黒等の暗色系の緩衝部材が目立たない表示装置を提供することを目的とする。
【課題を解決するための手段】
【０００７】
本発明は、少なくとも２種類の地色部を有する表示板１と、前記表示板１の視認側で前記表示板１と離間して配置され前記地色部を透視可能な透視部２５を有する透視部材２と、前記表示板１と前記透視部材２との間に配置される緩衝部材４と、を備え、前記緩衝部材４は、前記地色部の一方の地色部１３のみに配置され、前記一方の地色部１３は前記緩衝部材４と同系色であることを特徴とする。
【０００８】
また、前記一方の地色部１３は、前記表示板１の外周部に位置することを特徴とする。
【０００９】
また、前記透視部材２は、前記外周部に、前記表示板１に向かって下がった段差部２１を有し、前記緩衝部材４は、前記段差部２１に対向する位置に配置されることを特徴とする。
【００１０】
また、前記緩衝部材４と対向する前記透視部材２の内側又は外側に、微細処理部Ｓが形成されていることを特徴とする。
【００１１】
また、前記一方の地色部１３の艶は、前記緩衝部材４の艶と同様の艶を有することを特徴とする。
【００１２】
また、前記透視部材２の前記緩衝部材４の当接する面は、凸状又は凹状の貼り付け位置２３が形成されていることを特徴とする。
【００１３】
また、前記一方の地色部１３は暗色系であり、他方の地色部１２は明色系であることを特徴とする。
【発明の効果】
【００１４】
本発明に係る表示装置によれば、白等の明色系の表示板の地色を採用する場合でも、黒等の暗色系の緩衝部材が目立たない表示装置を提供することができる。
【図面の簡単な説明】
【００１５】
【図１】本発明の実施形態を示す表示装置の正面図。
【図２】図１中のＡ−Ａ線に沿った断面図。
【図３】図１の透視部材２，裏カバー９を省いた正面図。
【発明を実施するための形態】
【００１６】
以下、図１乃至３に基づいて、車両に搭載された表示装置を例に、本発明の一実施形態を説明する。また、表示装置の前後方向を、各図中に矢印にて示す。尚、前後とは表示板１を基準として、透視部材２側を前、その反対側を後とする。
【００１７】
表示装置は、指標部１４を有する表示板１と、表示板１の前方（視認側）で表示板１と離間して配置され指標部１４を透視可能な透視部材２と、表示板１の前方で指標部１４を指示する指針３と、表示板１と透視部材２との間に配置される緩衝部材４と、表示板１を支持するケース体５と、表示板１とケース体５の間に配置される液晶表示パネル６と、ケース体５の背後（視認側の反対方向）に配置される回路基板７と、回路基板７の背後に固定され指針３を駆動する指針駆動部８と、回路基板７を背後で覆い透視部材２と嵌合する裏カバー９を備えている。
【００１８】
表示板１は、透光性基板１１，第１の地色部（他方の地色部）１２，第２の地色部（一方の地色部）１３，指標部１４，窓部１５を有している。透光性基板１１は、透光性の平板形状の例えばＰＣ（ポリカーボネート）等の樹脂シートからなるものである。第１の地色部１２は、半透過性で明色系の白色等の印刷層からなるものであり、透光性基板１１の前面の全体に形成されている。第２の地色部１３は、遮光性で暗色系の黒色等の印刷層からなるものであり、表示板１の外周の位置の第１の地色部１２の前面に重ねて形成されている。
【００１９】
指標部１４は、遮光性の黒色印刷層からなるものであり、第１の地色部１２の前面に形成され、後述する回動軸８１を中心とした円弧状に目盛，数字，単位が配置されている。窓部１５は、第１の地色部１２が矩形に形成されないものである。また、この他に、表示板１の前後面は、適宜、着色された印刷層や、透明又は半透明の保護層が形成されている。
【００２０】
透視部材２は、指標部１４と指針３からなる指示状態や、液晶表示パネル６を視認することが可能な透過性の例えばＰＭＭＡ（アクリル）等の合成樹脂材料からなり、表示板１の前方を覆う。表示板１の視認側で表示板１と離間して配置され第１の地色部１２を透視可能な透視部２５を有する。透視部材２は、透視部２５の外周が表示板１に向かい後方に延びる立壁部２４を有する。また、透視部材２は、立壁部２４から表示板１と略平行に外側に延びる面の段差部２１を有する。つまり、段差部２１は、表示板１に向かって１段下がった面である。
【００２１】
また、段差部２１と表示板１との間には、緩衝部材４が配置されている。表示板１の第２の地色部１３は、この段差部２１に対向した領域に形成され、かつ、緩衝部材４を覆うように形成されている。段差部２１と立壁部２４の表裏面にはシボ加工部（微細処理部）Ｓが形成されている。尚、シボ加工部は、微細加工した表面仕上げ処理であれば模様等は問わない。透視部材２は、段差部２１から更に下がって、先端が略コの字状に二股に分岐している先端部２２を有している。
【００２２】
指針３は、透光性樹脂からなる指示部３１と、不透明な樹脂からなる指針キャップ３２と、指針駆動部８の回動軸８１が圧入されるボス部３３と、を有している。
【００２３】
緩衝部材４は、黒色等の遮光性で弾性を有する例えばゴムやスポンジ等の材料からなり、略直方体に形成されている。図３に示すように、緩衝部材４は、表示板１の外周の第２の地色部１３の範囲に複数個配置され、図２に示すように、表示板１と透視部材２の間に圧縮状態で保持され、表示板１の防振用として機能する。緩衝部材４は、透視部材２側に両面接着テープが貼着され、透視部材２の段差部２１の表示板１側に凸状に形成された貼り付け位置２３に貼り付けられている。尚、貼り付け位置２３は、凸状ではなく凹状でもよい。また、表示板１の第２の地色部１３の表面の艶は、緩衝部材４と同系色の黒色であり、かつ、緩衝部材４の表面の艶と同様の艶を有する黒色である。
【００２４】
ケース体５は、白色の例えばＰＰ（ポリプロピレン）等の合成樹脂からなり、このケース体５の背後に回路基板７が固定されている。また、ケース体５は、前端が表示板１の後面に当接し、後端が回路基板７の前面に当接し、後述する回動軸８１を中心とした円筒形状の円筒部５１を有している。また、円筒部５１は、後述する発光素子７１が発する照明光と、発光素子７２とが発する照明光とが混合されることを防ぐ遮光壁である。
【００２５】
液晶表示パネル６は、ＴＦＴ型のカラーのＬＣＤセルの前後面に偏光部材を貼着したものであり、積算走行距離等の車両情報を画像にて表示可能である。画像は、表示板１の窓部１５から視認者に視認可能に設けられている。
【００２６】
回路基板７は、平板状のガラスエポキシ系基材等の硬質プリント基板からなり、指針駆動部８，複数の発光素子７１，複数の発光素子７２，抵抗，コンデンサ等の各種回路部品を実装し、各種回路部品を配線パターンにより接続して回路を構成する。指針駆動部８は、制御部から供給される制御信号に基づいて駆動回路（図示せず）により、駆動される。発光素子７１，７２は、制御部から供給される制御信号に基づいて、発光回路（図示せず）により発光される。
【００２７】
指針駆動部８は、可動磁石式駆動装置，ステッピングモータ等からなるもので、回路基板７の背面に実装されている。指針駆動部８は、回路基板７に形成された貫通孔７３に挿入されて回路基板７の前側に延出する回動軸８１を有する。回動軸８１の先端はボス部３３に挿入され、指針３が取り付けられる。また、表示板１には、回動軸８１に対応する個所に正面視で円形状の貫通穴１６が形成されている。
【００２８】
回動軸８１は、制御信号に応じた回転角度で回動する。これによって、指針３が車両速度に応じた所定の回転角度で回転し、指示部３１が指標部４１を指示することで速度計が構成される。
【００２９】
発光素子７１，７２は、それぞれ、発光ダイオード（ＬＥＤ：Ｌｉｇｈｔ  Ｅｍｉｔｔｉｎｇ  Ｄｉｏｄｅ）等によって構成され、回路基板７の前面に実装されている。発光素子７１は、円筒部５１の内側の回動軸８１の周囲の位置に複数個配置され、指示部３１を光輝させる。発光素子７２は、指標部１４に対応する位置に複数個配置され、表示板１を透過照明する。発光素子７１，７２は、制御部から供給される制御信号に基づいて駆動され、車両運転者によって操作されるイルミネーションスイッチ等に応じてオン／オフされる。
【００３０】
裏カバー９は、黒色の遮光性の例えばＡＢＳ（アクリロニトリル  ブタジエン  スチレン）等の合成樹脂材料からなり、ケース体５，回路基板７等を収容するものである。ケース体５は、その外周が表示板１に向かい前方に延びる側壁９１を有する。側壁９１の先端は、略コの字状の溝部９２を有する。溝部９２には、ゴム材料等からなるシール部材９３が嵌め込まれている。透視部材２の先端部２２と溝部９２は、先端部２２の一方が溝部９２に挿入されシール部材９３を圧縮し、先端部２２の他方が溝部９２の外側を覆うようにして嵌合する。このように、透視部材２と裏カバー９とにより表示装置の気密性（防水性）が保持されている。
【００３１】
本発明の一実施形態で説明したように、緩衝部材４の色と第２の地色部１３の色とが同系色の黒色なので、透視部材２から緩衝部材４が視認できたとしても目立ち難いので、商品性を損なう虞のない表示装置を提供することができる。また、第２の地色部１３の表面の艶は、緩衝部材４の表面の艶と同様の艶を有するので、より緩衝部材４が目立ち難いので、より商品性を損なう虞のない表示装置を提供することができる。
【００３２】
また、緩衝部材４を一般的で安価な黒色のものを使用できるので、コスト競争力の高い表示装置を提供することができる。
【００３３】
また、第２の地色部１３及び緩衝部材４は、表示板１の外周部に位置しているため、視認者からは視認し難いので、商品性を損なう虞のない表示装置を提供することができる。
【００３４】
また、第２の地色部１３及び緩衝部材４は、透視部材２の段差部２１に配置されるため、立壁部２４を境界に白色と黒色が変わって見えるので、色変わりの違和感の少ない表示装置を提供することができる。
【００３５】
また、段差部２１と立壁部２４の表裏面にはシボ加工部Ｓが形成され、第２の地色部１３及び緩衝部材４は視認者からはぼやけて見えるため、緩衝部材４が目立ち難いので、商品性を損なう虞のない表示装置を提供することができる。
【００３６】
また、透視部材２の凸状の貼り付け位置２３は、透過性の材料であるため目立ち難いと共に、緩衝部材４の貼り付けの際に位置の確認が容易となるので、容易に組立可能な表示装置を提供することができる。
【００３７】
尚、本発明の表示装置を上記した実施形態の構成を例に挙げて説明したが、本発明はこれに限定されるものではなく、他の構成においても、本発明の要旨を逸脱しない範囲において種々の改良、並びに設計の変更が可能なことは勿論である。
【産業上の利用可能性】
【００３８】
本発明は、車両用の表示装置に関し、例えば、自動車やオートバイ、あるいは農業機械や建設機械を備えた移動体に搭載される車両用の表示装置に適用することができる。
【符号の説明】
【００３９】
１    表示板
１３    第１の地色部（他方の地色部）
１４    第２の地色部（一方の地色部）
２    透視部材
２１    段差部
２３    貼り付け位置
２５    透視部
４    緩衝部材
Ｓ    シボ加工部（微細処理部）
【図１】
2019045430.tif 000003
【図２】
2019045430.tif 000004
【図３】
2019045430.tif 000005